(57)【要約】【課題】中綿が片寄りにくく、かさ高性と保温性とを向上したふとんを提供する。【解決手段】ふとん１は、周縁を互いに縫合された長方形の表地２および裏地３と、表地２および裏地３を縫合して形成された円形区画室４、円弧区画室５、半円形区画室６、および各区画室４，５，６の円弧部分が互いに外接して配され形成された外接区画室７とから構成され、各区画室４，５，６，７の内部には、中綿として羽毛８がそれぞれ充填されている。ふとん１は中央に円形区画室４が形成されているため、使用する際に、使用者の体が位置する最も保温能力が要求される部分の羽毛８の片寄りが少なく、かさ高性および保温性が向上した。就寝時にふとん１を使用すると、軽く、フィット感のよいふとん１に身体が包まれるため、温かく快適な寝床環境が保持できる。【選択図】　　　　図１
2004121724.tif 000002
【特許請求の範囲】
【請求項１】
表地および裏地を円形状に止着した円形区画を有し、内部に中綿を充填して形成された円形区画室を具備することを特徴とするふとん。
【請求項２】
前記表地および前記裏地を、少なくとも一部を円弧状に止着した円弧区画を有し、内部に前記中綿を充填して形成された円弧区画室をさらに具備することを特徴とする請求項１に記載のふとん。
【請求項３】
前記円形区画室および前記円弧区画室の少なくともいずれか三つが互いに外接して形成された外接区画を有し、内部に前記中綿が充填された外接区画室をさらに具備することを特徴とする請求項２に記載のふとん。
【請求項４】
前記表地および前記裏地を半円形状に止着した半円形区画および直線区画を有し、内部に前記中綿を充填して形成された半円形区画室をさらに具備し、
前記直線区画は、
前記表地および前記裏地の周縁の一部を構成していることを特徴とする請求項１乃至請求項３のいずれか一つに記載のふとん。
【発明の詳細な説明】
【０００１】
【発明の属する技術分野】
本発明は、ふとんに関するものであり、特に平面円形状の区画室を有する羽毛ふとんに関するものである。
【０００２】
【従来の技術】
現代社会は、早朝勤務や交代制勤務による勤務形態の２４時間化、住宅事情の悪さによる通勤の長時間化、テレビ・ラジオの深夜・早朝放送、およびレストラン・コンビニエンスストアの２４時間営業などにより、活動時間が早朝から深夜におよび、生活様式が多様化している。その結果、睡眠時間が短縮されるとともに、精神的ストレス、不規則な食事、運動不足によって不眠や睡眠に満足感が得られない等の睡眠障害に悩む人が増えてきている。
【０００３】
そして、睡眠不足や睡眠障害による集中力、意欲、および免疫力の低下等、さまざまな健康被害が報告されている。さらに、これらによる注意力の低下や居眠りが引起こす事故等が大きな社会問題になっている。このような現状の中で、睡眠に関する研究は大きく発展し、また、人々の睡眠に対する関心や知識も高くなっている。
【０００４】
一般に、良い睡眠を得るためには、バランスの良い食事や適度な運動とともに、快適な寝具を使用することも重要であると考えられている。寝具の中で中心的位置を占めるふとん、特に、掛けふとんには、保温性（暖かいこと）、かさ高性（軽いこと）、フィット性（やわらかく身体を包むこと）、吸湿・発散性（むれ感のないこと）等の性能が要求される。そのため、従来より、木綿、合成繊維、羊毛、羽毛等がふとんの中綿として使用されてきたが、特に軽くて保温性、吸湿・発散性に優れる羽毛ふとんは、現在広く一般に愛用されている。
【０００５】
ここで羽毛ふとん１００の構成について説明すると、図６に示すように、表地１０２および裏地１０３の互いの周縁を接合するとともに、内部を縦横に適当な間隔で桝目状に縫合し、直交した直線状の縫目１０１によって仕切られた角部１０５を有する桝形区画室１０４が形成され、その内部に中綿として羽毛１０８が充填された、いわゆるキルト構造のものが一般的である。
【０００６】
【発明が解決しようとする課題】
しかしながら、上述した羽毛ふとんは、桝形区画室の角部が縦横の縫目が交差した部分にあたり、上下から圧迫されて羽毛が入り込みにくいため、使用するうちに内部の羽毛が桝形区画室内の中央に集まっていた。よって、桝形区画室の角部は、羽毛が充分に充填されていない空間となり、熱放散が大きくなるためふとんの保温性が低下していた。また、前述の桝形区画室の角部近辺は圧迫され羽毛が充分に充填されていないため、羽毛の弾力が吸収され、かさ高性が充分に得られなかった。
【０００７】
そこで、本発明は、上記実情に鑑み、区画室内の中綿が片寄りにくく、かさ高性と保温性とを向上したふとんを提供することを課題とするものである。
【０００８】
【課題を解決するための手段】
請求項１の発明にかかるふとんは、表地および裏地を円形状に止着した円形区画を有し、内部に中綿を充填して形成された円形区画室を具備するものである。
【０００９】
ここで、中綿は羽毛、羊毛、木綿、合成繊維等が例示される。また、表地および裏地を止着する方法は、直接縫合または隔壁を介した立体縫合、さらには熱接着等の周知の技術を利用して止着することが可能である。
【００１０】
したがって、請求項１の発明のふとんによれば、ふとんの使用時に体の動きによって生じる円形区画室内の空気の流れが、円形区画付近まで均等に届くため、中綿が円形区画付近まで入り込むことが可能となり、円形区画室内の中綿が片寄りにくくなる。また、中綿が片寄らず円形区画室内に分散して充填されるため、中綿の弾力性により、かさ高性が向上し、円形区画室内に空気を多量に含むことが可能となり、保温性が向上する。
【００１１】
請求項２の発明にかかるふとんは、請求項１に記載のふとんにおいて、前記表地および前記裏地を、少なくとも一部を円弧状に止着した円弧区画を有し、内部に前記中綿を充填して形成された円弧区画室をさらに具備するものである。
【００１２】
ここで、円弧区画とは、区画の少なくとも一部が円弧状を呈するものであり、その他の部分は直線及び曲線などを組合せた形状でよく、例えば、四角形の一辺を円弧状にした形状などでもよい。
【００１３】
したがって、請求項２の発明のふとんによれば、請求項１のふとんの作用に加え、円弧区画室の円弧区画により、上下からの圧迫によって表地および裏地の間に中綿が入り込みにくい部分が減少し、中綿が充分に充填されるため、熱放散が抑えられ、保温性が向上する。さらに、上述した四角形の一辺を円弧状にした形状の円弧区画を有する円弧区画室と円形区画室とを組合せて、従来と同様に長方形状のふとんに配することができる。
【００１４】
請求項３の発明にかかるふとんは、請求項２に記載のふとんにおいて、前記円形区画室および前記円弧区画室の少なくともいずれか三つが互いに外接して形成された外接区画を有し、内部に前記中綿が充填された外接区画室をさらに具備するものである。
【００１５】
したがって、請求項３の発明のふとんによれば、請求項２のふとんの作用に加え、円形区画室の円形区画および円弧区画室の円弧区画が外接することによって外接区画を有する外接区画室が形成される。これにより、円形区画室および円弧区画室が密に配されたふとんが形成される。さらに、各区画室の内部に充填された中綿が片寄りが少なくなるとともに、外接区画室にも中綿が充填されており、ふとん全体に中綿が分散して充填されるため、均一に熱放散が抑えられ、ふとん全体の保温性が向上する。
【００１６】
請求項４の発明にかかるふとんは、請求項１乃至請求項３に記載のふとんにおいて、前記表地および前記裏地を半円形状に止着した半円形区画および直線区画を有し、内部に前記中綿を充填して形成された半円形区画室をさらに具備し、前記直線区画は、前記表地および前記裏地の周縁の一部を構成しているものである。
【００１７】
したがって、請求項４の発明のふとんによれば、請求項１乃至請求項３のふとんの作用に加え、半円形区画室の直線区画がふとんの周縁の一部を構成している。したがって、半円形区画室が形成された部分を使用者（就寝者）の首元付近に配することにより、首元付近がかさ高くなり、フィット感および保温性がさらに向上する。ここで、半円形区画室は、前述した円弧区画室の一態様と言える。
【００１８】
【発明の実施の形態】
以下、本発明の一実施形態であるふとん１について、図１乃至図４に基づき説明する。図１はふとん１の構成を示す平面図であり、図２はふとん１の構成を示す模式図であり、図３は図１におけるＡ−Ａ断面図であり、図４は図１におけるＢ−Ｂ断面図である。
【００１９】
本実施形態のふとん１は、図１および図２に示すように、周縁を互いに縫合した長方形の表地２および裏地３と、表地２および裏地３を縫合して形成され、円形状を呈する円形区画９を有する円形区画室４、一部が円弧形状を呈する円弧区画１０を有する円弧区画室５、半円形状を呈する半円形区画１１を有する半円形区画室６、および各区画９，１０，１１の円弧部分を互いに外接することによって形成された外接区画室７とから構成されている。なお、各区画室４，５，６，７の内部には、中綿として羽毛８がそれぞれ充填されている。ここで、各区画９，１０，１１によって形成された区画が、本発明における外接区画に相当する。
【００２０】
次に、本実施形態のふとん１における各区画室４，５，６，７の配置について説明する。長方形のふとん１の短辺１２および長辺１３の略中央に、直線区画１４が各辺の一部を構成するように半円形区画室６が配され、短辺１２の略中央に形成された相対する半円形区画室６の間に二つの円形区画室４が互いに外接した状態で配され、さらに、ふとん１の四隅には円形区画室４および半円形区画室６に円弧部分が外接するように円弧区画室５がそれぞれ配されている。そして、半円形区画室６、円弧区画室５の円弧部分および円形区画室４が互いに外接して外接区画室７ａが形成され、さらに半円形区画室６の円弧部分および二つの円形区画室４とが互いに外接して外接区画室７ｂが形成されている。なお、本実施形態においては、円弧区画室５と半円形区画室６の円弧部分の半径は、円形区画室４と同じ半径Ｒに設定されている。
【００２１】
上記の構成により、ふとん１の使用時に体の動きによって生じる円形区画室４内の空気の流れが、円形区画９付近まで均等に届くため、中綿が円形区画９付近まで入り込むことが可能となり、円形区画室４内の中綿が片寄りにくくなる。そして、図３および図４に示すように、中綿が片寄らず分散して充填されている円形区画室４は、中綿の弾力性により、かさ高性が向上し、円形区画室４内に空気を多量に含むことが可能となるため、保温性が向上する。また、ふとん１は、中央付近に円形区画室４が隣接して形成されているため、使用する際に、使用者の体が位置する最も保温能力が要求される部分の保温性が向上することになる。
【００２２】
また、ふとん１の周縁に配設された円弧区画室５および半円形区画室６は、一部が円弧形状に縫合されているため、従来の羽毛ふとん１００の桝形区画室１０４（図６参照）のような羽毛の入り込みにくい角部１０５が減少し、熱放散が抑えられ、また、区画室５，６内の羽毛８が片寄りにくくなる。よって、円弧区画室５および半円形区画室６もかさ高性が向上するため、保温性が向上する。さらに、外接区画室７にも羽毛が充填されているため、ふとん全体に羽毛が分散して充填され、保温性が向上する。また、区画室５，６の直線部分を利用して各区画室を配置することにより、従来と同一の長方形状のふとんを形成することが出来る。
【００２３】
さらに、通常は就寝時に使用者の首元にあたる短辺１２の中央付近の一部を直線区画１４が成すように半円形区画室６が形成され、首元のかさ高性が向上するため、保温性およびフィット感が向上する。
【００２４】
このように、ふとん１は、従来の羽毛ふとんに比べ、かさ高性および保温性が向上しているため、就寝時に使用すると、軽く、フィット感のよいふとん１に身体が包まれ、温かく、快適な寝床環境が得られる。よって、よい眠りを得るために重要な条件の一つを満たすことができ、睡眠不足や睡眠障害などを解消する助けとなることができる。
【００２５】
以上、本発明について好適な実施形態を挙げて説明したが、本発明はこれらの実施形態に限定されるものではなく、以下に示すように、本発明の要旨を逸脱しない範囲において種々の改良および設計の変更が可能である。
【００２６】
すなわち、本実施形態のふとん１において、表地２および裏地３を直接縫合（平面キルティング）し、各区画室４，５，６，７を形成するものを示したが、表地２と裏地３の間に仕切布を介し、それぞれを縫合（立体キルティング）してもよい。また、熱接着等の縫糸を使用しない止着方法でもよい。
【００２７】
また、本実施形態のふとん１において、外接区画室７を円形区画室４、円弧区画室５、および半円形区画室６の中の三つの円弧部分を外接することによって形成するもの、換言すれば、各区画室４，５，６の円弧中心を正三角形の頂点に取り、同じ半径Ｒの円弧が外接して形成されるものを示したが、これに限定されるものではない。例えば、図５に示すように、各区画室４，５ａ，６の円弧中心を正方形の頂点に取り、同じ半径Ｒの円弧が外接して形成された外接区画室７ｃ，７ｄを有するふとん５０であってもよい。さらに、円弧は同径であるものに限らず、径の違う複数の円弧からなる区画室を配したものであってもよい。
【００２８】
さらに、各区画室４，５，６，７は、真円および真円の円弧形状を呈するものを示したが、真円に限定されるものではなく、楕円や卵形などの非真円形でもよい。
【００２９】
【発明の効果】
以上のように、請求項１または請求項２の発明のふとんは、円形区画室または円弧区画室が形成されているため、従来の桝形区画室が形成されているふとんに比べ、区画室内の中綿が片寄りにくく、これにより、かさ高性および保温性が向上する。よって、就寝時に使用すると、軽く、フィット感のよいふとんに身体が包まれるため、温かく、快適な寝床環境を保持できる。
【００３０】
請求項３の発明のふとんは、請求項２の発明のふとんの効果に加え、円形区画室および円弧区画室が密に配設されるため、ふとん内部の中綿が片寄りにくくなる。また、外接区画室にも、中綿が充填されており、ふとん全体に中綿が分散して充填されるため、熱放散が抑えられ、保温性が向上し、温かい寝床環境が保持できる。
【００３１】
請求項４の発明のふとんは、請求項１乃至請求項３の発明のふとんの効果に加え、半円形区画室は、従来と比べ、中綿の入り込みにくい角部が減少するため、半円形区画室内の中綿は片寄りにくく、かさ高性および保温性が向上する。よって、半円形区画室を有する部分を使用者の首元にもってくると、首元がかさ高くなるため、フィット感がよく、温かいため寝床環境が向上できる。
【図面の簡単な説明】
【図１】本発明の一実施形態であるふとんの構成を示す平面図である。
【図２】本発明の一実施形態であるふとんの構成を示す模式図である。
【図３】図１におけるＡ−Ａ断面図である。
【図４】図１におけるＢ−Ｂ断面図である。
【図５】本発明のふとんの別例の構成を示す平面図である。
【図６】従来の羽毛ふとんの構成を示す平面図である。
【符号の説明】
１　ふとん
２　表地
３　裏地
４　円形区画室
５　円弧区画室
６　半円形区画室
７，７ａ，７ｂ　外接区画室
８　中綿
９　円形区画
１０　円弧区画
１１　半円形区画
１４　直線区画
【図１】
2004121724.tif 000003
【図２】
2004121724.tif 000004
【図３】
2004121724.tif 000005
【図４】
2004121724.tif 000006
【図５】
2004121724.tif 000007
【図６】
2004121724.tif 000008